(57)【要約】【課題】  食事時など飲食物をこぼしたときに被服や床を汚すことが多い。これを防止する目的で前掛けを使用するが、現在の前掛けでは特に液体のこぼれに対して十分な汚れ防止ができない。本発明は固形物はもちろんであるが、水に代表される液体のこぼれに対しても被服や床を汚すことのない前掛けを提案する。【解決手段】  前記課題は首に固定するための固定具を備えた非透水性のシートから成る前掛けであって、前部を袋状部とするとともに前部及び腹部の一部に固定具を設けることによって腹部が箱状部になることを特徴とする前掛けによって解決できる。【選択図】      図３
2006328623.tif 000002
【特許請求の範囲】
【請求項１】
首に固定するための固定具を備えた非透水性のシートから成る前掛けであって、前部を袋状部とするとともに前部及び腹部の一部に固定具を設けることによって腹部が箱状部になることを特徴とする前掛け
【発明の詳細な説明】
【技術分野】
【０００１】
本発明は前掛けに関し、特に子供や要介護の人に適した前掛けに関する。
【背景技術】
【０００２】
食事用の前掛けは飲食のときに飲食物をこぼしても服などを汚さないために着用するものであり、従来から広く使用されてきた。しかし、単に服が汚れないようにするだけではなく、こぼしたもので床を汚さないことも重要である。こぼしたもので床を汚さないために前掛けの端に吸盤をつけることによって、食品や食器が床に落ちないようにした提案がなされている(実用新案文献1)。しかしながらこの提案では固形の食品のこぼれに対する効果は少し認められるものの、多くの食品やましてや水などの液体のこぼれに対する汚れ防止には不十分であった。また、前掛けの首部分の反対方向の他端を食卓まで延設し左右に別体のシート縫い合わせタックを設けることによってこぼれないようにした提案がある(実用新案文献2)。しかしながらこの提案でも多量の固体のこぼれや液体のこぼれを床に落ちることを防止することはできていない。更に、前掛けの首部分の反対方向の他端に吸盤をつけ、両側を絞り込んだ前掛けが提案されている(特許文献1)。しかし、この提案によって前掛けの一部横方向にギャザーが発生しているが、縦方向には平坦になっているだけであり、こぼれたものを収納する溜めはできていない。つまり、こぼれた液体を明らかに溜めておく立体的な形状になっていないため液体のこぼれについてほとんど効果が認められない。以上述べたように子供や老人など要介護者用の前掛けに対する種々の提案があるものの、液体のこぼれによる汚れを防止する十分な機能を有する提案はなかった。
【０００３】
【特許文献１】実用新案登録第３０１３６６０号公報
【特許文献２】実用新案登録第３０８６８９１号公報
【特許文献３】特開２００１−２０７３０４号公報
【発明の開示】
【発明が解決しようとする課題】
【０００４】
従来の技術では固体である少量の食品や食器のこぼれについては色々な提案によってかなり改善が図られたが、大量の固体の場合および液体の場合は少量であってもほとんど何も改善されていない。本発明は多量の固体および液体のこぼれについても服の汚れを防止するのみならず、床への落下についても防止できる前掛けを提案する
【課題を解決するための手段】
【０００５】
本発明の課題は首に固定するための固定具を備えた非透水性のシートから成る前掛けであって、前部を袋状部とするとともに前部及び腹部の一部に固定具を設けることによって腹部が箱状部になることを特徴とする前掛けによって解決できる。
【発明の効果】
【０００６】
本発明の収納部分を立体的に大きくした技術によって、固体・液体によらず多量のこぼれものを収納できるために、幼児や要介護者においては衣類は勿論、ラック、ラックカバーなど幼児の周囲のほぼすべてのものおよび床の汚れも防止することができる。
【発明を実施するための最良の形態】
【０００７】
本発明の非透水性シートとは合成樹脂でできたシート、繊維からなる布に合成樹脂をコーティングしたシート、繊維から成る布に合成樹脂シートを貼り付けたシートなど水に代表される液体を通さないシートであることが必要である。シートは曲げ剛性が小さいほうがこぼれたものをその重力による変形が大きく収納部分が大きくなるので好ましい。布の表面が樹脂で覆われている場合は少なくともこぼれる側が樹脂になっていることが好ましい。
本発明の前掛けは前掛けの前部が袋状部になっていることが必要である。袋状部とは折り返し部を有していることを意味している。つまり、前掛け本体を平面に伸ばしたときに折り返しが存在していることである。袋状部が存在することによってこぼしたものを確実に収納できると共に、こぼしたもの特にこぼした液体を始末するときに該袋状部に収納され、後始末が大変容易で確実にできるのである。更に前掛け前部、即ち、首とは反対方向には固定具が具備されていることが必要である。この固定具は前掛け前部をテーブル、ラック付属のテーブルなどに固定するためのものである。固定箇所はテーブルのいずれの箇所でも良いが、こぼれたものを完全に収納する意味からテーブルの下部に固定することが好ましい。また、ラックの場合は先端または上面に固定することが好ましい。
前掛け本体の腹部に固定具を設けることによって箱状にすることが必要である。固定具の数は少なくとも左右各々の側に１個必要であり、片側に複数個あっても良い。この固定具は例えばラックや椅子の肘掛けバーやテーブル支持バーの一部に固定するものである。  このように固定することによって本発明の前掛けは箱状になり、前掛けの左右両側が高く固定されるために固体は勿論、多量の液体でも前掛けに収納することが可能になり、ものが床にこぼれることはなくなるのである。固定具はしっかり固定できるものであれば特に限定されない。例えば、面ファスナー、ホック、粘着テープなどが適用できるが、なかでも面ファスナーが好ましく適用することができる。
【実施例１】
【０００８】
以下添付図面に従って実施例を説明する。本発明は以下の実施例によって限定されるものではない。
１は幼児や要介護者の首等に本発明の前掛けを装着するための首紐である。
２は前掛け本体である。
３は４袋状部を固定するための面ファスナーである。
４は図５において、前掛け本体の平らな1枚布の前部を○と○’☆と☆’の点線で縫製することで形成される袋状部である。
５は胴に本発明の前掛けを装着するための胴紐である。
６は本体の横を固定するための面ファスナーである。
【０００９】
ベビーラックに装着の場合
ラックに装着の場合は、図1の３面ファスナーは4袋状部の内側に固定する。
固定具に面ファスナーを用いる為、あらかじめ対であるもう一方を図6の７ラックテーブルの１０、１１の箇所に固定する。
３を１１に接着し、６を１０に接着する。
5胴紐１首紐を結ぶ。
上記のように装着することにより図9、ラック横の角度と胴体で前掛けの腹部に１５箱状部が形成される。
１６は5胴紐の縫付点である。
装着後の側面図は図3であるが4袋状部が前下がりとなり、箱状部で受けたものを袋状部で収容し、動作による再流出を防ぎ、大容量の収容が可能となる。
【実施例２】
【００１０】
要介護者のテーブルに装着の場合
固定具に面ファスナーを用いる為、あらかじめ対であるもう一方を図7の８テーブルの１２、１３イスの肘掛の９の箇所に固定する。
３を１２に、６を9に接着する
5胴紐、１首紐を結ぶ。
上記のように装着することにより、図8、13肘掛の角度と胴体で、前掛け腹部に１５箱状部が形成される。
装着後の側面図は図4であるが、4袋状部が前下がりとなり、箱状部で受けたものを袋状部で収容する。
また、肘掛けがあれば装着可能なので、車椅子にも利用でき、両面テープなどを利用すれば、出かけ先でも使用できる。
【産業上の利用可能性】
【００１１】
本発明による前掛けは食事時に飲食物をよくこぼす幼児、あるいは体が十分に動かない要介護者などに好ましく適用することができる。
【図面の簡単な説明】
【００１２】
【図１】本発明の平面図（表）
【図２】本発明の平面図（裏）
【図３】ラックに装着の側面図
【図４】テーブルに装着の側面図
【図５】袋上部
【図６】ラックテーブル上面図
【図７】テーブル、イス上面図
【図８】図４の上面図
【図９】図3の上面図
【符号の説明】
【００１３】
１    首紐
２    前掛け本体
３    袋状部の固定具（面ファスナー）
４    袋状部
５    胴紐
６    固定具（面ファスナー）
７    ラックテーブル
８    テーブル
９    固定具（面ファスナー）
１０  固定具（面ファスナー）
１１  固定具（面ファスナー）
１２  固定具（面ファスナー）
１３  肘掛
１４  イス
１５  箱状部
１６  5胴紐の縫付け点
【図１】
2006328623.tif 000003
【図２】
2006328623.tif 000004
【図３】
2006328623.tif 000005
【図４】
2006328623.tif 000006
【図５】
2006328623.tif 000007
【図６】
2006328623.tif 000008
【図７】
2006328623.tif 000009
【図８】
2006328623.tif 000010
【図９】
2006328623.tif 000011